(57)【要約】      （修正有）【課題】アプリケーションプログラムなどの画面の表示面積を広く確保する。【解決手段】携帯端末装置は、周縁領域の少なくとも一部に切欠き１５２ａが形成されている表示パネル１５と、表示パネルに重畳されたタッチパネルと、表示制御部と、を備える。表示制御部は、表示パネルにおいて切欠きの両側に位置する操作領域１５２ｂ，１５２ｃを除いた画面表示領域１５１に画面を表示する表示処理と、タッチパネルに対する操作領域１５２ｂ，１５２ｃから画面表示領域に向けたスライド操作を検知すると、携帯端末装置への操作を受け付ける操作画面を出現させる出現処理とを実行する。【選択図】図３
2020057219.tif 000002
【特許請求の範囲】
【請求項１】
周縁領域の少なくとも一部に切欠きが形成されている表示部と、
前記表示部に重畳されたタッチパネルと、
制御部と、を備え、
前記制御部は、
前記表示部において前記切欠きの両側に位置する側部領域を除いた画面表示領域に画面を表示する表示処理と、
前記タッチパネルに対する前記側部領域から前記画面表示領域に向けたスライド操作を検知すると、電子機器への操作を受け付ける操作画面を出現させる出現処理とを実行することを特徴とする電子機器。
【請求項２】
前記制御部は、前記出現処理において、前記画面表示領域に表示された前記画面に重なるように前記操作画面を出現させることを特徴とする請求項１に記載の電子機器。
【請求項３】
前記制御部は、前記出現処理において、前記側部領域の一方に対してスライド操作されたときと、前記側部領域の他方に対してスライド操作されたときとで、それぞれ異なる操作機能を有する前記操作画面を個別に出現させることを特徴とする請求項１または２に記載の電子機器。
【請求項４】
前記切欠きに配置される接触センサをさらに備え、
前記表示部における前記切欠きと前記画面表示領域との間に、前記タッチパネルへの操作を受け付けない不感領域が設けられていることを特徴とする請求項１から３のいずれか１項に記載の電子機器。
【請求項５】
請求項１に記載の電子機器における制御部としてコンピュータを機能させるための制御プログラム。
【請求項６】
周縁領域の少なくとも一部に切欠きが形成されている表示部と、
前記表示部に重畳されたタッチパネルと、を備える電子機器を制御するための制御装置であって、
前記表示部において前記切欠きの両側に位置する側部領域を除いた画面表示領域に画面を表示する表示処理部と、
前記タッチパネルに対する前記側部領域から前記画面表示領域に向けたスライド操作を検知すると、電子機器への操作を受け付ける操作画面を出現させる出現処理部と、を備えていることを特徴とする制御装置。
【請求項７】
周縁領域の少なくとも一部に切欠きが形成されている表示部と、
前記表示部に重畳されたタッチパネルと、を備える電子機器を制御するための制御方法であって、
前記表示部において前記切欠きの両側に位置する側部領域を除いた画面表示領域に画面を表示する表示処理工程と、
前記タッチパネルに対する前記側部領域から前記画面表示領域に向けたスライド操作を検知すると、電子機器への操作を受け付ける操作画面を出現させる出現処理工程と、を含んでいることを特徴とする制御方法。
【発明の詳細な説明】
【技術分野】
【０００１】
本発明は、表示部とタッチパネルとを備える電子機器に関する。
【背景技術】
【０００２】
タッチパネルによる入力が主流になっているスマートフォンなどの電子機器は、従来の携帯電話機のようにハードウェアのキーを備えていない。このため、当該電子機器においては、複数のアプリケーションプログラムの操作を前の状態に戻したり、ホーム画面に移動したり、タスクを切り替えたりといった操作を行うためのナビゲーションバーが表示される。
【０００３】
例えば、特許文献１には、電子メール、カレンダー、連絡先、タスクなどの拡張された通信サービス内でのモジュール間の切り替えのため、および各モジュールに関連するプレビューピークをユーザに提示するための、ナビゲーションバーの提供が開示されている。
【先行技術文献】
【特許文献】
【０００４】
【特許文献１】特表２０１５−５０５０８４号公報（２０１５年２月１６日公表）
【発明の概要】
【発明が解決しようとする課題】
【０００５】
しかしながら、通常、ナビゲーションバーは、アプリケーションプログラムの画面を表示するための領域の上に表示される。このため、当該領域の面積が小さくなり、アプリケーションプログラムの画面を前面に表示することができないという問題がある。
【０００６】
本発明の一態様は、アプリケーションプログラムなどの画面の表示面積を広く確保することを目的とする。
【課題を解決するための手段】
【０００７】
上記の課題を解決するために、本発明の一態様に係る電子機器は、周縁領域の少なくとも一部に切欠きが形成されている表示部と、前記表示部に重畳されたタッチパネルと、
制御部と、を備え、前記制御部が、前記表示部において前記切欠きの両側に位置する側部領域を除いた画面表示領域に画面を表示する表示処理と、前記タッチパネルに対する前記側部領域から前記画面表示領域に向けたスライド操作を検知すると、電子機器への操作を受け付ける操作画面を出現させる出現処理とを実行する。
【発明の効果】
【０００８】
本発明の一態様によれば、アプリケーションプログラムなどの画面の表示面積を広く確保することかできる。
【図面の簡単な説明】
【０００９】
【図１】本発明の実施形態１〜３に係る携帯端末装置のハードウェア構成を示すブロック図である。
【図２】上記携帯端末装置の外観構成を示す平面図である。
【図３】上記携帯端末装置における表示パネルの構成を示す平面図である。
【図４】上記携帯端末装置のシステム構成を示すブロック図である。
【図５】（ａ）本発明の実施形態１および２に係る携帯端末装置における画面非表示領域から操作が行われる状態を示す部分拡大図であり、（ｂ）は当該携帯端末装置における画面表示領域に操作画面が表示された状態を示す部分拡大図である。
【図６】（ａ）本発明の実施形態２に係る携帯端末装置における画面非表示領域から操作が行われる状態を示す部分拡大図であり、（ｂ）は当該携帯端末装置における画面表示領域に操作画面が表示された状態を示す部分拡大図である。
【図７】本発明の実施形態３に係る携帯端末装置におけるタッチセンサ周辺の構成示す部分拡大図である。
【発明を実施するための形態】
【００１０】
〔実施形態１〕
本発明の実施形態１について図１〜図５に基づいて説明すると、以下の通りである。
【００１１】
図１は、本発明の実施形態１〜３に係る携帯端末装置１のハードウェア構成を示すブロック図である。図２は、携帯端末装置１の外観構成を示す平面図である。図３は、携帯端末装置１における表示パネル１５の構成を示す平面図である。
【００１２】
携帯端末装置１（電子機器）は、専用のＯＳ（Operating System）を実装した通信端末装置であり、以下のように、アプリケーションプログラムを実行する環境を備えている。携帯端末装置１としては、スマートフォン、タブレット端末などが挙げられる。
【００１３】
図１に示すように、携帯端末装置１は、ＣＰＵ（Central Processing Unit）１１と、ＲＡＭ（Random Access Memory）１２と、ＲＯＭ（Read Only Memory）１３と、補助メモリ１４と、表示パネル１５（表示部）と、タッチパネル１６と、タッチセンサ１７（接触センサ）と、撮像部１８と、通信部１９とを備えている。
【００１４】
ＣＰＵ１１は、携帯端末装置１のシステムプログラムを実行する処理装置である。具体的には、ＣＰＵ１１は、システムプログラムの実行に際して、ＲＡＭ１２、補助メモリ１４、タッチパネル１６、タッチセンサ１７などからデータを受け取り、当該データに対して演算または加工を施した結果を、ＲＡＭ１２、補助メモリ１４、表示パネル１５などに出力する。
【００１５】
ＲＡＭ１２は、携帯端末装置１における主記憶装置を構成するメモリであり、ＤＲＡＭ（Dynamic Random Access Memory）などによって構成される。
【００１６】
ＲＯＭ１３は、システムプログラムの他、携帯端末装置１の起動時やリセット時に実行されるＢＩＯＳ（Basic Input Output System）などの、携帯端末装置１の動作に不可欠なプログラムを記憶している。
【００１７】
補助メモリ１４は、携帯端末装置１の動作に必要なプログラム、データなどを記憶するために設けられている。補助メモリ１４は、例えばフラッシュメモリによって構成されている。
【００１８】
表示パネル１５は、携帯端末装置１の基本操作を実現するための画面、アプリケーションプログラムが実行された結果として表示される画面などを表示するために設けられている。表示パネル１５としては、液晶表示パネル、ＥＬ（Electro-Luminescence）表示パネルなどの平板型表示パネルが用いられる。
【００１９】
タッチパネル１６は、表示パネル３５上に配置されており、表示パネル３５に表示された画面上でのタッチ操作を受け入れて、タッチ操作信号を入力信号として出力する。
【００２０】
タッチセンサ１７は、指などの指示体の接触（接触動作や接触対象）を検知するセンサである。タッチセンサ１７としては、指紋センサ、感圧センサなどのセンサが挙げられる。
【００２１】
撮像部１８は、撮像を行うために、カメラなどのハードウェアの部分と、カメラによる撮像を操作するソフトウェアの部分とを含んでいる。
【００２２】
通信部１９は、インターネット５を介した通信を行うための通信回路を含む部分である。
【００２３】
図２に示すように、携帯端末装置１は、長方形を成す筐体１ａを備えている。筐体１ａの前面には開口１ｂが設けられている。開口１ｂには、表示パネル１５およびタッチパネル１６が露出している。開口１ｂは、長方形を成しているが、一方の短辺側の周縁領域のほぼ中央部に切欠き１ｃが形成されている。切欠き１ｃは、切欠き１ｃが設けられる周縁領域に複数形成されてもよいし、開口１ｂにおける他の３つの周縁領域に１つ以上形成されてもよい。
【００２４】
タッチセンサ１７は、一部が切欠き１ｃ内に位置し、残りの部分が切欠き１ｃ外に位置するように配置されている。
【００２５】
図３に示すように、表示パネル１５は、その有効表示領域が、開口１ｂと同じ形状かつ同じ大きさに形成されている。また、表示パネル１５は、画面表示領域１５１と、画面非表示領域１５２とに区分されている。
【００２６】
画面表示領域１５１は、アプリケーションプログラムの実行結果として生成されるアプリケーション画面の他、ホーム画面、設定画面などの上述した規定画面などを含む各種の画面を表示する領域である。画面表示領域１５１は、表示パネル１５の有効表示領域における、切欠き１ｃの側の端部を除く大半を占めている。
【００２７】
画面非表示領域１５２は、画面を含む画像の表示に寄与しない領域である。画面非表示領域１５２は、切欠き１５２ａと、操作領域１５２ｂ，１５２ｃ（側部領域）とを有している。
【００２８】
切欠き１５２ａは、開口１ｂの切欠き１ｃと同じ位置に、切欠き１ｃと同じ形状かつ同じ大きさに形成されている。切欠き１５２ａも、切欠き１ｃと対応するように、切欠き１５２ａが設けられる周縁領域に複数形成されてもよいし、表示パネル１５における他の３つの周縁領域に１つ以上形成されてもよい。切欠き１５２ａが表示パネル１５における他の３つの周縁領域に形成される場合、画面非表示領域１５２が、当該周縁領域に設けられる必要がある。以降の説明では、図３に示すように、切欠き１５２ａが１箇所のみ設けられる構成について説明する。
【００２９】
操作領域１５２ｂ，１５２ｃは、切欠き１ｃの両側に形成されている。操作領域１５２ｂ，１５２ｃは、後述する操作画面２００を表示するためのタッチパネル１６への操作のみを可能とする領域である。
【００３０】
タッチパネル１６は、表示パネル１５と同じ形状かつ同じ大きさに形成されている。タッチパネル１６は、表示パネル１５に重畳するように配置されている。
【００３１】
なお、表示パネル１５およびタッチパネル１６は、筐体１ａにおける開口１ｂの周縁に形成される額縁状の部分に隠れる領域（外周端部）を有している。この領域には、接続端子などが形成される部位を含んでいる。図３においては、便宜上、その隠れる領域については描かれておらず、省略されている。
【００３２】
続いて、携帯端末装置１のシステム構成について説明する。図４は、そのシステム構成を示すブロック図である。
【００３３】
図４に示すように、携帯端末装置１は制御部１１０を備えている。制御部１１０は、ＣＰＵ１１であり、携帯端末装置１の各部を統括して制御する制御装置として機能する。制御部１１０は、オペレーティングシステム（以降「ＯＳ」と称する）２と、操作制御部３と、表示制御部４とを含んでいる。
【００３４】
ＯＳ２は、上述したＲＡＭ１２、ＲＯＭ１３、補助メモリ１４、タッチパネル１６、タッチセンサ１７、撮像部１８および通信部１９の管理など、アプリケーションプログラムから共通して利用される基本的な機能を提供し、携帯端末装置１のシステム全体を管理する基本プログラムである。また、ＯＳ２は、規定画面出力部２１と、アプリケーションプログラム実行処理部２２とを有している。
【００３５】
ここで、補助メモリ１４は、各種の規定画面のデータ（規定画面データ）と、操作画面データと、各種のアプリケーションプログラムを記憶している。規定画面データは、ホーム画面、設定画面などの携帯端末装置１の基本動作に必要である、予め用意されている規定画面のデータである。操作画面データは、各種の操作を行うための操作画面を表示するためのデータである。
【００３６】
規定画面出力部２１は、操作制御部３によって指定された規定画面について、補助メモリ１４に記憶されている規定画面データを読み出して、表示制御部４に出力する。
【００３７】
アプリケーションプログラム実行処理部２２は、補助メモリ１４に記憶（保存）されている複数のアプリケーションプログラムのうち、起動が指示されたアプリケーションプログラムを起動して実行する。また、アプリケーションプログラム実行処理部２２は、実行されているアプリケーションプログラムのうち、終了が指示されたアプリケーションプログラムを終了する。また、アプリケーションプログラムは、実行に伴ってアプリケーションウインドウ（アプリケーション画面）のデータを生成して、表示制御部４に出力する。
【００３８】
操作制御部３は、タッチパネル１６への操作に応じて、表示パネル１５に表示させる画面の切り替え、画面の操作（スクロール、ピンチイン、ピンチアウトなど）といった制御内容をＯＳ２に伝える。
【００３９】
表示制御部４は、表示パネル１５に画面を表示させる制御を行う。表示制御部４は、この機能を実現するために、画面表示処理部４１（表示処理部）と、操作画面出現処理部４２（出現処理部）とを有している。
【００４０】
画面表示処理部４１は、ＯＳ２から出力される画面データに基づいて、表示パネル１５の画面表示領域１５１に画面を表示させる表示処理を行う。
【００４１】
操作画面出現処理部４２は、補助メモリ１４に記憶されている操作画面データに基づいて、表示パネル１５の画面表示領域１５１に操作画面を出現させる出現処理を行う。
【００４２】
以上のように構成される携帯端末装置１の動作について説明する。
【００４３】
図５の（ａ）は、携帯端末装置１における画面非表示領域１５２から操作が行われる状態を示す部分拡大図である。図５の（ｂ）は、携帯端末装置１における画面表示領域１５１に操作画面２００が表示された状態を示す部分拡大図である。
【００４４】
図５の（ａ）に示すように、画面表示領域１５１に画面１００が表示された状態で（表示処理工程）、操作領域１５２ｂから画面表示領域１５１に向けて矢印方向にスワイプ操作（スライド操作）が行われる。この操作は、タッチパネル１６からタッチデータとして、操作制御部３に出力される。操作制御部３は、タッチデータに基づいて、上記のスワイプ操作を認識すると、操作画面出現処理部４２に操作画面を出現するように指示する。
【００４５】
操作画面出現処理部４２は、操作制御部３の指示を受けて、補助メモリ１４から操作画面データを読み出す。そして、操作画面出現処理部４２は、操作画面データを表示パネル１５に出力して、表示パネル１５の画面表示領域１５１に操作画面を表示させる。図５の（ｂ）に示すように、操作画面出現処理部４２は、画面表示領域１５１に画面１００が表示された状態で、画面１００の上に重ねるように操作画面２００を出現（表示）させる（出現処理工程）。
【００４６】
これにより、図５の（ｂ）に示すように、操作画面２００は、画面表示領域１５１において、画面表示領域１５１と画面非表示領域１５２との境界線から所定の幅で表示される。操作画面２００は、例えば、ナビゲーションバーである。ナビゲーションバーは、例えば、現在表示されている画面から前に表示されている画面に戻すための「戻るキー」、ホーム画面に表示を切り替える「ホームキー」、タスクを選択する「タスクキー」といった、携帯端末装置１の操作のためのキーを含んでいる。
【００４７】
操作画面２００においてキーをタッチする操作が行われると、この操作は、タッチパネル１６からタッチデータとして、操作制御部３に出力される。操作制御部３は、タッチデータに基づいて、操作画面２００におけるキー操作を認識すると、ＯＳ２にキー操作に応じた処理を行うように指示する。
【００４８】
ＯＳ２は、この指示に応じて、表示を切り替えるために、アプリケーション画面や規定画面のデータを表示制御部４に出力したり、指定されたタスクを実行したりといった処理を行う。
【００４９】
また、操作画面出現処理部４２は、操作画面２００に対する操作が一定時間されないと、操作画面２００の表示を停止するように表示パネル１５を制御する。
【００５０】
なお、操作領域１５２ｃから画面表示領域１５１に向けて矢印方向にスワイプ操作が行われた場合も、上記と同じ操作画面２００の表示処理が行われる。
【００５１】
以上のように、本実施形態に係る携帯端末装置１は、タッチパネル１６に対する操作領域１５２ｂ，１５２ｃから画面表示領域１５１に向けたスライド操作を検知すると、携帯端末装置１への操作を受け付ける操作画面２００を出現させる操作画面出現処理部４２を備えている。
【００５２】
これにより、ユーザが所望とするときに、操作領域１５２ｂまたは操作領域１５２ｃから画面表示領域１５１に向けてスワイプ操作を行えば、操作画面２００を出現させることができる。また、必要のないときに操作画面２００を出現させないようにすることができる。これにより、操作画面２００を使用しないときに画面表示領域１５１を最大の面積で利用することができる。
【００５３】
また、画面１００上に操作画面２００を重なるように出現させることにより、操作画面２００を出現させるスペースを確保するために、操作画面２００を出現させるごとに画面１００の表示面積を小さくする必要がない。これにより、表示制御部４による表示処理を簡素化することができる。
【００５４】
〔実施形態２〕
本発明の実施形態２について図４〜図６に基づいて説明すると、以下の通りである。なお、本実施形態において、実施形態１における構成要素と同等の機能を有する構成要素については、同一の符号を付記して、その説明を省略する。
【００５５】
図６の（ａ）は、本実施形態に係る携帯端末装置１における画面非表示領域１５２から操作が行われる状態を示す部分拡大図である。図６の（ｂ）は、携帯端末装置１における画面表示領域１５１に操作画面３００が表示された状態を示す部分拡大図である。
【００５６】
図４に示すように、本実施形態に係る携帯端末装置１は、表示制御部４の操作画面出現処理部４２が、実施形態１の操作画面出現処理部４２と異なる操作画面の表示制御を行う。具体的には、操作画面出現処理部４２は、一方の操作領域１５２ｂから画面表示領域１５１にスワイプ操作が行われたときと、他方の操作領域１５２ｃから画面表示領域１５１にスワイプ操作が行われたときとで、異なる操作機能を有する操作画面を表示するように、表示パネル１５を制御する。
【００５７】
例えば、図５の（ａ）に示すように、画面表示領域１５１に画面１００が表示された状態で、操作領域１５２ｂから画面表示領域１５１に向けて矢印方向にスワイプ操作が行われる。この場合、操作画面出現処理部４２は、上述したように、操作制御部３の指示を受けて、補助メモリ１４から読み出した操作画面データを表示パネル１５に出力して、表示パネル１５の画面表示領域１５１に、図５の（ｂ）に示す操作画面２００を表示させる。
【００５８】
一方、図６の（ａ）に示すように、画面表示領域１５１に画面１００が表示された状態で、操作領域１５２ｃから画面表示領域１５１に向けて矢印方向にスワイプ操作が行われる。この場合、操作画面出現処理部４２は、操作制御部３の指示を受けて、補助メモリ１４から読み出した操作画面データを表示パネル１５に出力して、表示パネル１５の画面表示領域１５１に、図６の（ｂ）に示す操作画面３００を出現（表示）させる。
【００５９】
これにより、図６の（ｂ）に示すように、操作画面出現処理部４２は、画面表示領域１５１に画面が表示された状態で、当該画面の上に重ねるように操作画面３００を表示させる。操作画面３００は、例えば、アイコンバーである。アイコンバーは、例えば、アプリケーションプログラムを起動するためのアイコン（ショートカットアイコン）を複数含んでいる。
【００６０】
このように、本実施形態に係る携帯端末装置１は、操作画面出現処理部４２が、操作領域１５２ｂ，１５２ｃからのそれぞれのスワイプ操作に応じて異なる操作機能を有する操作画面を個別に（いずれか一方のみを）表示パネル１５に表示させる。
【００６１】
これにより、１つの切欠き１５２ａに対して２つ存在する操作領域１５２ｂ，１５２ｃに、上記のように、それぞれ操作機能が異なる２つの操作画面２００，３００を割り当てることができる。これにより、画面表示領域１５１に画面１００を表示させている状態で、ナビゲーションバーの操作画面２００を出現させて、キーを操作したり、アイコンバーの操作画面３００を出現させて、ホーム画面に表示を切り替えずにショートカットアイコンを操作したりすることができる。したがって、携帯端末装置１の操作性をより向上させることができる。
【００６２】
なお、上記の例では、操作領域１５２ｂからのスワイプ操作によってナビゲーションバーを表示させ、操作領域１５２ｃからのスワイプ操作によってアイコンバーを表示させている。これに限らず、操作領域１５２ｂからのスワイプ操作によってアイコンバーを表示させ、操作領域１５２ｃからのスワイプ操作によってナビゲーションバーを表示させてもよい。また、操作画面２００は、ナビゲーションバーに限らず、その他の操作機能を有する操作画面であってもよい。同様に、操作画面３００は、アイコンバーに限らず、その他の操作機能を有する操作画面であってもよい。
【００６３】
〔実施形態３〕
本発明の実施形態３について図４および図７に基づいて説明すると、以下の通りである。なお、本実施形態において、実施形態１における構成要素と同等の機能を有する構成要素については、同一の符号を付記して、その説明を省略する。
【００６４】
図７は、本実施形態に係る携帯端末装置１におけるタッチセンサ周辺の構成示す部分拡大図である。
【００６５】
図７に示すように、画面非表示領域１５２には、不感領域１５２ｄが設けられている。不感領域１５２ｄは、画面非表示領域１５２における、切欠き１５２ａと、操作領域１５２ｂ，１５２ｃと、画面表示領域１５１との間に囲まれた領域である。不感領域１５２ｄは、タッチパネル１６への操作を受け付けないように構成されている。
【００６６】
具体的には、図４に示す操作制御部３は、不感領域１５２ｄにタッチ操作されることによりタッチパネル１６から出力されるタッチデータに基づいて、不感領域１５２ｄへのタッチ操作を無効にする。このため、操作制御部３は、不感領域１５２ｄにタッチ操作が行われたことを認識しても、そのことをＯＳ２伝えない。
【００６７】
なお、不感領域１５２ｄへのタッチ操作を無効にする手法は、上記の例に限定されない。
【００６８】
以上のように、本実施形態に係る携帯端末装置１は、画面非表示領域１５２に不感領域１５２ｄを有している。
【００６９】
これにより、画面表示領域１５１を大きく形成するために切欠き１５２ａに近接して設けると、切欠き１５２ａに配置されたタッチセンサ１７への操作時に誤って画面表示領域１５１に触れたことにタッチパネル１６が反応して誤操作を生じることがある。これに対し、上記の構成では、不感領域１５２ｄによって、タッチセンサ１７への操作時に誤って画面表示領域１５１に触れたことに対してタッチパネル１６が反応することを抑制できる。
【００７０】
〔ソフトウェアによる実現例〕
携帯端末装置１の制御ブロック（特に制御部１１０）は、集積回路（ＩＣチップ）等に形成された論理回路（ハードウェア）によって実現してもよいし、ソフトウェアによって実現してもよい。
【００７１】
後者の場合、携帯端末装置１は、各機能（制御方法）を実現するソフトウェアである制御プログラムの命令を実行するコンピュータを備えている。このコンピュータは、例えば少なくとも１つのプロセッサ（制御装置）を備えていると共に、上記制御プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。
【００７２】
上記プロセッサとしては、例えばＣＰＵ１１を用いることができる。上記記録媒体としては、「一時的でない有形の媒体」、例えば、ＲＯＭ１３等の他、テープ、ディスク、カード、半導体メモリ、プログラマブルな論理回路などを用いることができる。また、ＲＡＭ１２が上記制御プログラムを展開してもよい。
【００７３】
また、上記制御プログラムは、該制御プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７４】
〔まとめ〕
本発明の態様１に係る電子機器は、周縁領域の少なくとも一部に切欠き１５２ａが形成されている表示部（表示パネル１５）と、前記表示部に重畳されたタッチパネル１６と、制御部（表示制御部４）と、を備え、前記制御部が、前記表示部において前記切欠き１５２ａの両側に位置する側部領域を除いた画面表示領域１５１に画面を表示する表示処理と、前記タッチパネル１６に対する前記側部領域（操作領域１５２ｂ，１５２ｃ）から前記画面表示領域１５１に向けたスライド操作を検知すると、電子機器への操作を受け付ける操作画面を出現させる出現処理と、を実行する。
【００７５】
上記の構成によれば、必要なときに操作画面を出現させる一方、必要のないときに操作画面を出現させないようにすることができる。これにより、操作画面を使用しないときに画面表示領域を最大の面積で利用することができる。
【００７６】
本発明の態様２に係る電子機器は、上記態様１において、前記制御部は、前記出現処理において、前記画面表示領域１５１に表示された前記画面に重なるように前記操作画面を出現させてもよい。
【００７７】
上記の構成によれば、操作画面を出現させるスペースを確保するために、操作画面を出現させるごとに画面の表示面積を小さくする必要がない。これにより、制御部による表示処理を簡素化することができる。
【００７８】
本発明の態様３に係る電子機器は、上記態様１または２において、前記制御部が、前記出現処理において、前記側部領域の一方に対してスライド操作されたときと、前記側部領域の他方に対してスライド操作されたときとで、それぞれ異なる操作機能を有する前記操作画面を個別に出現させてもよい。
【００７９】
上記の構成によれば、１つの切欠きに対して２つ存在する側部領域に、それぞれ操作機能が異なる２つの操作画面を割り当てることができる。例えば、一方の操作画面にナビゲーションバーを設け、他方の操作画面に、通常、ホーム画面に表示されるようなアプリケーションプログラムのショートカットアイコンなどを設けることができる。これにより、画面表示領域に画面を表示させている状態で操作画面を出現させて、ナビゲーションバーを操作したり、ホーム画面に表示を切り替えずにショートカットアイコンを操作したりすることができる。したがって、電子機器の操作性をより向上させることができる。
【００８０】
本発明の態様４に係る電子機器は、上記態様１から３のいずれかにおいて、前記切欠き１５２ａに配置される接触センサ（タッチセンサ１７）をさらに備え、前記表示部における前記切欠き１５２ａと前記画面表示領域１５１との間に、前記タッチパネル１６への操作を受け付けない不感領域１５２ｄが設けられていてもよい。
【００８１】
大画面化のために画面表示領域を切欠きに近接して設けると、切欠きに配置された接触センサへの操作時に誤って画面表示領域に触れたことにタッチパネルが反応して誤操作を生じることがある。これに対し、上記の構成では、不感領域によって、接触センサへの操作時に誤って画面表示領域に触れたことに対してタッチパネルが反応することを抑制できる。
【００８２】
本発明の態様５に係る制御装置は、周縁領域の少なくとも一部に切欠きが形成されている表示部（表示パネル１５）と、前記表示部に重畳されたタッチパネル１６と、を備える電子機器（携帯端末装置１）を制御するための制御装置であって、前記表示部において前記切欠きの両側に位置する側部領域を除いた画面表示領域に画面を表示する表示処理部と、前記タッチパネル１６に対する前記側部領域から前記画面表示領域に向けたスライド操作を検知すると、電子機器への操作を受け付ける操作画面を出現させる出現処理部と、を備えている。
【００８３】
上記の構成によれば、態様１に係る電子機器と同じく、操作画面を使用しないときに画面表示領域を最大の面積で利用することができる。
【００８４】
本発明の態様６に係る制御方法は、周縁領域の少なくとも一部に切欠きが形成されている表示部（表示パネル１５）と、前記表示部に重畳されたタッチパネル１６と、を備える電子機器（携帯端末装置１）を制御するための制御方法であって、前記表示部において前記切欠きの両側に位置する側部領域（１５２ｂ，１５２ｃ）を除いた画面表示領域１５１に画面を表示する表示処理工程と、前記タッチパネル１６に対する前記側部領域から前記画面表示領域１５１に向けたスライド操作を検知すると、電子機器への操作を受け付ける操作画面を出現させる出現処理工程と、を含んでいる。
【００８５】
上記の構成によれば、態様１に係る電子機器と同じく、操作画面を使用しないときに画面表示領域を最大の面積で利用することができる。
【００８６】
本発明の各態様に係る電子機器は、コンピュータによって実現してもよく、この場合には、コンピュータを上記電子機器が備える各部（ソフトウェア要素）として動作させることにより上記電子機器をコンピュータにて実現させる電子機器の制御プログラム、およびそれを記録したコンピュータ読み取り可能な記録媒体も、本発明の範疇に入る。
【００８７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１  携帯端末装置（電子機器）
１５  表示パネル（表示部）
１６  タッチパネル
１７  タッチセンサ（接触センサ）
４１  画面表示処理部（表示処理部）
４２  操作画面出現処理部（出現処理部）
１００  画面
１１０  制御部（制御装置）
１５１  画面表示領域
１５２  画面非表示領域
１５２ａ  切欠き
１５２ｂ，１５２ｃ  操作領域（側部領域）
１５２ｄ  不感領域
２００，３００  操作画面
【図１】
2020057219.tif 000003
【図２】
2020057219.tif 000004
【図３】
2020057219.tif 000005
【図４】
2020057219.tif 000006
【図５】
2020057219.tif 000007
【図６】
2020057219.tif 000008
【図７】
2020057219.tif 000009